【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
検体を処理する検体処理装置と、
前記検体処理装置と通信可能に接続された管理装置と、
を備える検体処理装置の管理システムであって、
前記検体処理装置は、
自己調整を実行する自己調整手段と、
前記自己調整手段による自己調整を実行する前に、自己調整の承認を要求するための承認要求データを送信する第１通信部と、
を具備し、
前記管理装置は、
前記検体処理装置から承認要求データを受信したときに、前記検体処理装置による自己調整の実行を許可するか否かを決定する決定手段と、
前記決定手段により前記検体処理装置による自己調整の実行の許可が決定された場合に、自己調整が承認されたことを示す承認データを送信する第２通信部と、
を具備し、
前記検体処理装置は、前記管理装置から承認データを受信したときに、前記自己調整手段による自己調整を実行するように構成されている、
検体処理装置の管理システム。
【請求項２】
前記検体処理装置は、前記自己調整手段による自己調整を開始するためのイベントを検出するイベント検出手段をさらに具備し、
前記第１通信部は、前記イベント検出手段によって前記イベントが検出された場合に、前記承認要求データを送信するように構成されている、
請求項１に記載の検体処理装置の管理システム。
【請求項３】
前記検体処理装置は、検体処理装置の異常を検出する異常検出部をさらに具備し、
前記イベント検出手段は、前記異常検出部による異常の検出を前記イベントとして検出するように構成されている、
請求項２に記載の検体処理装置の管理システム。
【請求項４】
前記検体処理装置は、前記イベント検出手段によって検出されたイベントの種類を判別する種類判別手段をさらに具備し、
前記第１通信部は、前記イベント検出手段によって検出されたイベントの種類が第１の種類であると前記種類判別手段によって判別された場合には、前記承認要求データを送信し、前記イベント検出手段によって検出されたイベントの種類が前記第１の種類とは異なる第２の種類であると前記種類判別手段によって判別された場合には、前記承認要求データを送信しないように構成されており、
前記検体処理装置は、前記イベント検出手段によって検出されたイベントの種類が第１の種類であると前記種類判別手段によって判別された場合には、前記管理装置から承認データを受信したときに、前記自己調整手段による自己調整を実行し、前記イベント検出手段によって検出されたイベントの種類が第２の種類であると前記種類判別手段によって判別された場合には、前記承認データを受信することなく、前記自己調整手段による自己調整を実行するように構成されている、
請求項２又は３に記載の検体処理装置の管理システム。
【請求項５】
前記検体処理装置は、前記検体処理装置の調整値を生成する調整値生成手段をさらに具備し、
前記自己調整手段は、前記調整値生成手段によって生成された調整値に前記検体処理装置を自己調整するように構成されている、
請求項１乃至４の何れかに記載の検体処理装置の管理システム。
【請求項６】
前記検体処理装置は、
検体を測定する測定部と、
測定結果を校正するための校正情報を記憶する記憶部と、
前記測定部による測定結果を、前記記憶部に記憶された校正情報に基づいて変換する変換手段と、
をさらに具備し、
前記調整値生成手段は、前記測定部が校正情報作成用試料を測定することにより得られた測定結果に基づいて、前記検体処理装置の調整値として校正情報を生成するように構成されており、
前記自己調整手段は、前記調整値生成手段により生成された校正情報を前記記憶部に記憶させることにより前記検体処理装置を自己調整するように構成されている、
請求項５に記載の検体処理装置の管理システム。
【請求項７】
前記検体処理装置は、検体の測定に関する動作を行う位置調整可能な動作機構をさらに具備し、
前記調整値生成手段は、前記検体処理装置の調整値として前記動作機構の位置調整量を生成するように構成されており、
前記自己調整手段は、前記調整値生成手段により生成された位置調整量に基づいて前記動作機構の位置調整を行うことにより前記検体処理装置を自己調整するように構成されている、
請求項５に記載の検体処理装置の管理システム。
【請求項８】
前記動作機構は、検体の測定のために特定の位置へ移動可能に構成されており、
前記調整値生成手段は、前記動作機構を前記特定の位置に位置決めするための前記位置調整量を生成するように構成されている、
請求項７に記載の検体処理装置の管理システム。
【請求項９】
前記動作機構は、検体又は試薬を吸引するための吸引位置へ移動して検体又は試薬を吸引し、検体又は試薬を吐出するための吐出位置へ移動して検体又は試薬を吐出する分注機構である、
請求項８に記載の検体処理装置の管理システム。
【請求項１０】
前記第１通信部は、前記検体処理装置を使用するユーザを特定するための特定情報を含む承認要求データを送信するように構成されており、
前記決定手段は、前記検体処理装置から送信された前記承認要求データに含まれる特定情報に基づいて、前記検体処理装置による自己調整の実行を許可するか否かを決定するように構成されている、
請求項１乃至９の何れかに記載の検体処理装置の管理システム。
【請求項１１】
前記第１通信部は、前記調整値生成手段によって生成された調整値を含む承認要求データを送信するように構成されており、
前記決定手段は、前記検体処理装置から送信された前記承認要求データに含まれる調整値に基づいて、前記検体処理装置による自己調整の実行を許可するか否かを決定するように構成されている、
請求項４乃至９の何れかに記載の検体処理装置の管理システム。
【請求項１２】
管理装置と通信可能に接続され、検体を処理する検体処理装置であって、
自己調整を実行する自己調整手段と、
前記自己調整手段による自己調整を実行する前に、自己調整の承認を要求するための承認要求データを前記管理装置へ送信する通信部と、
を備え、
前記管理装置から自己調整が承認されたことを示す承認データを受信したときに、前記自己調整手段による自己調整を実行するように構成されている、
検体処理装置。
【請求項１３】
前記自己調整手段による自己調整を開始するためのイベントを検出するイベント検出手段をさらに備え、
前記通信部は、前記イベント検出手段によって前記イベントが検出された場合に、前記承認要求データを送信するように構成されている、
請求項１２に記載の検体処理装置。
【請求項１４】
検体処理装置の異常を検出する異常検出部をさらに備え、
前記イベント検出手段は、前記異常検出部による異常の検出を前記イベントとして検出するように構成されている、
請求項１３に記載の検体処理装置。
【請求項１５】
前記イベント検出手段によって検出されたイベントの種類を判別する種類判別手段をさらに備え、
前記通信部は、前記イベント検出手段によって検出されたイベントの種類が第１の種類であると前記種類判別手段によって判別された場合には、前記承認要求データを送信し、前記イベント検出手段によって検出されたイベントの種類が前記第１の種類とは異なる第２の種類であると前記種類判別手段によって判別された場合には、前記承認要求データを送信しないように構成されており、
前記イベント検出手段によって検出されたイベントの種類が第１の種類であると前記種類判別手段によって判別された場合には、前記管理装置から承認データを受信したときに、前記自己調整手段による自己調整を実行し、前記イベント検出手段によって検出されたイベントの種類が第２の種類であると前記種類判別手段によって判別された場合には、前記承認データを受信することなく、前記自己調整手段による自己調整を実行するように構成されている、
請求項１３又は１４に記載の検体処理装置。
【請求項１６】
検体を処理する検体処理装置と通信可能に接続された管理装置であって、
前記検体処理装置から自己調整の承認を要求するための承認要求データを受信したときに、前記検体処理装置による自己調整の実行を許可するか否かを決定する決定手段と、
前記決定手段により前記検体処理装置による自己調整の実行の許可が決定された場合に、自己調整が承認されたことを示す承認データを送信する通信部と、
を備える、
管理装置。
【請求項１７】
検体処理装置と管理装置とを用いて検体処理装置を管理する方法であって、
前記検体処理装置が、自己調整を実行する前に、自己調整の承認を要求する承認要求データを前記管理装置に送信する第１送信工程と、
前記管理装置が、前記承認要求データを受信する第１受信工程と、
前記管理装置が、前記検体処理装置による自己調整の実行を許可する場合に、自己調整を承認することを示す承認データを前記検体処理装置に送信する第２送信工程と、
前記検体処理装置が、前記承認データを受信する第２受信工程と、
前記検体処理装置が、自己調整を実行する自己調整工程と、を含む管理方法。
【請求項１８】
前記検体処理装置が自己調整を開始するためのイベントを検出する、イベント検出工程をさらに備え、
前記第１送信工程は、前記イベントが検出された場合に、承認要求データを送信する、請求項１７に記載の管理方法。
【請求項１９】
前記イベント検出工程は、前記イベントとして、検体処理装置の異常を検出する工程を含む、請求項１８に記載の管理方法。
【請求項２０】
前記検体処理装置が前記イベント検出工程によって検出されたイベントの種類を判別する、判別工程をさらに備え、
前記自己調整工程は、前記イベントの種類が、承認を待つことなく自己調整を実行すべき種類のイベントである場合、承認を待つことなく、自己調整を実行する、請求項１８に記載の管理方法。
【手続補正２】
【補正対象書類名】明細書
【補正対象項目名】発明の名称
【補正方法】変更
【補正の内容】
【発明の名称】検体処理装置の管理システム、検体処理装置及び管理装置ならびに管理方法
【手続補正３】
【補正対象書類名】明細書
【補正対象項目名】０００６
【補正方法】変更
【補正の内容】
【０００６】
本発明は斯かる事情に鑑みてなされたものであり、その主たる目的は、検体処理装置毎の個体差にかかわらず各検体処理装置を正確且つ容易に調整することができる検体処理装置の管理システム、検体処理装置及び管理装置ならびに管理方法を提供することにある。
【手続補正４】
【補正対象書類名】明細書
【補正対象項目名】００１９
【補正方法】変更
【補正の内容】
【００１９】
また、本発明の一の態様の管理装置は、検体を処理する検体処理装置と通信可能に接続された管理装置であって、前記検体処理装置から自己調整の承認を要求するための承認要求データを受信したときに、前記検体処理装置による自己調整の実行を許可するか否かを決定する決定手段と、前記決定手段により前記検体処理装置による自己調整の実行の許可が決定された場合に、自己調整が承認されたことを示す承認データを送信する通信部と、を備える。
また、本発明の一の態様の管理方法は、検体処理装置と管理装置とを用いて検体処理装置を管理する方法であって、前記検体処理装置が、自己調整を実行する前に、自己調整の承認を要求する承認要求データを前記管理装置に送信する第１送信工程と、前記管理装置が、前記承認要求データを受信する第１受信工程と、前記管理装置が、前記検体処理装置による自己調整の実行を許可する場合に、自己調整を承認することを示す承認データを前記検体処理装置に送信する第２送信工程と、前記検体処理装置が、前記承認データを受信する第２受信工程と、前記検体処理装置が、自己調整を実行する自己調整工程と、を含む。
上記態様において、前記管理方法は、前記検体処理装置が自己調整を開始するためのイベントを検出する、イベント検出工程をさらに備え、前記第１送信工程は、前記イベントが検出された場合に、承認要求データを送信する。
上記態様において、前記イベント検出工程は、前記イベントとして、検体処理装置の異常を検出する工程を含む。
上記態様において、前記管理方法は、前記検体処理装置が前記イベント検出工程によって検出されたイベントの種類を判別する、判別工程をさらに備え、前記自己調整工程は、前記イベントの種類が、承認を待つことなく自己調整を実行すべき種類のイベントである場合、承認を待つことなく、自己調整を実行する。
【手続補正５】
【補正対象書類名】明細書
【補正対象項目名】００２０
【補正方法】変更
【補正の内容】
【００２０】
本発明に係る管理システム、検体処理装置及び管理装置ならびに管理方法によれば、検体処理装置毎の個体差にかかわらず各検体処理装置を従来に比して正確且つ容易に調整することができる。